(57)【要約】【課題】ネットワーク内のＩＰ電話機、ＩＰファクシミリ装置などの装置とそのネットワーク外の装置とがＩＰ通信によりやり取りする通信内容を管理ないし監視することができる通信装置を提供すること。【解決手段】自装置１が属するＬＡＮ１１内の装置とＬＡＮ１１外の装置１６が行うＩＰ通信を中継する通信装置１であって、メディア種別情報毎に保存要否情報を対応付けて設定するテーブルＴを備え、ＳＩＰのシグナリングメッセージとともに送受信される情報に基づいてメディア種別情報を検出し、検出したメディア種別情報に対応付けられた保存要否情報が保存要に設定されている場合に、ＬＡＮ１１内の装置とＬＡＮ１１外の装置１６の間で送受信されるメディアデータを抽出して保存する通信装置１。【選択図】図３
2006054651.tif 000002
【特許請求の範囲】
【請求項１】
自装置が属するネットワーク内の装置と該ネットワーク外の装置が行うＩＰ通信を中継する通信装置であって、前記ネットワーク内の装置と前記ネットワーク外の装置の間で送受信されるメディアデータを抽出する抽出手段と、抽出された前記メディアデータを保存する保存手段と、を備えることを特徴とする通信装置。
【請求項２】
メディアデータの保存要否情報を設定する設定手段を更に備え、前記抽出手段によるメディアデータの抽出及び前記保存手段による抽出されたメディアデータの保存は、前記保存要否情報が保存要に設定されている場合に行われることを特徴とする請求項１記載の通信装置。
【請求項３】
メディア種別情報毎に保存要否情報を対応付けて設定する設定手段と、前記ネットワーク内の装置と前記ネットワーク外の装置がメディアデータを送受信する前に呼制御プロトコルにより送受信する情報に基づいて、メディアデータのメディア種別情報を検出する検出手段と、を更に備え、前記抽出手段によるメディアデータの抽出及び前記保存手段による抽出されたメディアデータの保存は、前記検出手段が検出したメディア種別情報に対応付けられた保存要否情報が保存要に設定されている場合に行われることを特徴とする請求項１記載の通信装置。
【請求項４】
前記保存手段が保存したメディアデータを外部の装置に出力する出力手段を更に備えることを特徴とする請求項１乃至３の何れか１に記載の通信装置。
【請求項５】
前記保存手段が保存したメディアデータを再生する再生手段を更に備えることを特徴とする請求項１乃至３の何れか１に記載の通信装置。
【発明の詳細な説明】
【技術分野】
【０００１】
本発明は、ネットワーク内の装置とそのネットワーク外の装置とがＳＩＰ（Session  Initiation  Protocol）等の呼制御プロトコルを利用してＩＰ（Internet  Protocol）通信を行う場合に、その通信内容を監視ないし管理するための通信装置に関する。
【背景技術】
【０００２】
ＩＰ電話通信、ＩＰファクシミリ通信など、呼制御プロトコルを利用して、音声データや画データを送受信する装置が普及している（例えば、特許文献１、２参照）。企業等においては、かかるＩＰ電話機、ＩＰファクシミリ装置等をＬＡＮ（ローカルエリアネットワーク）に接続して使用することが多い。
【０００３】
【特許文献１】特開２００２−１０１２５６号公報
【特許文献２】特開２０００−２２４３３３号公報
【発明の開示】
【発明が解決しようとする課題】
【０００４】
近年、ＬＡＮ内のＩＰ電話機やＩＰファクシミリ装置とそのＬＡＮ外の装置とがやり取りする音声データ、画データを当該ＬＡＮの管理者によって監視ないし管理したいという要望がある。
【０００５】
しかし、呼制御プロトコルを利用して音声データや画データを送受信する通信装置は提案されているものの、ＬＡＮに接続された装置とそのＬＡＮ外にある装置がやり取りする通信内容を監視ないし管理する通信装置は未だ提案されていない。
【０００６】
本発明は、かかる事情に鑑みてなされたものであり、ネットワーク内のＩＰ電話機、ＩＰファクシミリ装置などの装置とそのネットワーク外の装置とがＩＰ通信によりやり取りする通信内容を管理ないし監視することができる通信装置を提供することを目的とする。
【課題を解決するための手段】
【０００７】
上記目的を達成するために、請求項１記載の通信装置は、自装置が属するネットワーク内の装置と該ネットワーク外の装置が行うＩＰ通信を中継する通信装置であって、前記ネットワーク内の装置と前記ネットワーク外の装置の間で送受信されるメディアデータを抽出する抽出手段と、抽出された前記メディアデータを保存する保存手段と、を備えることを特徴としている。
【０００８】
請求項２記載の通信装置は、請求項１記載の通信装置において、メディアデータの保存要否情報を設定する設定手段を更に備え、前記抽出手段によるメディアデータの抽出及び前記保存手段による抽出されたメディアデータの保存は、前記保存要否情報が保存要に設定されている場合に行われることを特徴としている。
【０００９】
請求項３記載の通信装置は、請求項１記載の通信装置において、メディア種別情報毎に保存要否情報を対応付けて設定する設定手段と、前記ネットワーク内の装置と前記ネットワーク外の装置がメディアデータを送受信する前に呼制御プロトコルにより送受信する情報に基づいて送受信されるメディアデータのメディア種別情報を検出する検出手段と、を更に備え、前記抽出手段によるメディアデータの抽出及び前記保存手段による抽出されたメディアデータの保存は、前記検出手段が検出したメディア種別情報に対応付けられた保存要否情報が保存要に設定されている場合に行われることを特徴としている。
【００１０】
請求項４記載の通信装置は、請求項１乃至３の何れか１に記載の通信装置記載において、前記保存手段が保存したメディアデータを外部の装置に出力する出力手段を更に備えることを特徴としている。
【００１１】
請求項５記載の通信装置は、請求項１乃至３の何れか１に記載の通信装置記載において、前記保存手段が保存したメディアデータを再生する再生手段を更に備えることを特徴としている。
【発明の効果】
【００１２】
請求項１記載の通信装置によれば、通信装置が属するネットワーク内の装置とネットワーク外の装置との間でＩＰ通信により送受信されるメディアデータを管理することができる。例えば企業等のＬＡＮに設置するルータに本発明に係る機能を持たせれば、企業内の従業者等が企業外の者とやりとりするＩＰ電話、ＩＰファクシミリ等の通信内容を管理ないし監視することが可能となる。
【００１３】
請求項２記載の通信装置によれば、メディアデータを保存するか否かを設定できるので、管理者の意図に則した運用が可能となる。
【００１４】
請求項３記載の通信装置によれば、メディアデータのメディア種別毎に保存するか否かを設定することができるので、より一層、管理者の意図に則した運用が可能である。例えば、ＩＰ電話の通話内容のみを監視したい場合は、音声データについてのみ保存要否情報を保存要に設定し、ＩＰファクシミリの通信内容のみを監視したい場合は、静止画データについてのみ保存要否情報を保存要に設定することにより、メディア種別を限定した管理ないし監視が可能となる。
【００１５】
請求項４記載の通信装置によれば、保存したメディアデータのファイルは、他の装置へ出力することができるので、保存したメディアデータを利用する際の利便性が向上する。
【００１６】
請求項５記載の通信装置によれば、保存したメディアデータは、通信装置において再生することができるので、管理者は迅速にメディアデータの内容を確認することができる。
【発明を実施するための最良の形態】
【００１７】
以下本発明の実施の形態に係る通信装置について図面に基づいて説明する。図１に本発明の実施の形態に係る通信装置１の構成例及び通信装置１が接続されるネットワークの一例を示す。図示するように、通信装置１は、制御部２、記憶部３、操作部４、表示部５、記録部６、コーデック７、ＬＡＮインタフェース８、ＩＰ網通信部９、補助記憶部１０、動画再生部Ｍ１、音声再生部Ｍ２及びスピーカＳを備える。
【００１８】
制御部２は、ＣＰＵ（Central  Processing  Unit）、制御プログラムを格納したＲＯＭ（Read  Only  Memory）、ＲＡＭ（Random  Access  Memory）等から構成され、この通信装置１を構成する各部を制御する。記憶部３はＲＡＭ等で構成され、後述するテーブルＴ等を記憶している。操作部４は、キーボード、マウス等の入力手段を具備し、ユーザの操作により情報の入力を受付ける。表示部５は、ＬＣＤ（Ｌｉｑｕｉｄ  Ｃｒｙｓｔａｌ  Ｄｉｓｐｌａｙ）等のモニタからなり、制御部２から受けた画データや動画再生部から受けた動画データを表示する。記録部６は、制御部２から受けた画データを記録用紙上に印刷する。コーデック７は、音声データ、動画データ、静止画データにそれぞれ対応する複数のコーデックを備える。例えば、ＷＡＶ形式、ＭＰＥＧ（Moving  Picture  Experts  Group）形式などに対応したコーデックを備える。
【００１９】
ＬＡＮインタフェース８は、通信装置１とＬＡＮ（ローカルエリアネットワーク）１１とを接続するインターフェースである。ＬＡＮ１１には、ＰＣ（パーソナルコンピュータ）１３ａ、１３ｂ、複数の電話機１４ａ乃至１４ｃが繋がれたＰＢＸ（Private  Branch  Exchange；構内交換機）１４が接続されている。通信装置１はＬＡＮ１１外の装置１６（以下「外部装置１６」という。）とＬＡＮ１１内の装置との間で伝送されるパケットを中継する。ＩＰ網通信部９は、インターネットやイントラネットなどのＩＰ網１５との接続制御を行う。補助記憶部１０には、音声データ、動画データ、静止画データ等のメディアデータを記憶保存するのに十分な記憶容量を有する補助記憶装置、例えばＨＤ（ハードディスク）、ＭＴ（磁気テープ）等が使用される。
【００２０】
動画再生部Ｍ１は、制御部２から受けた動画データの表示部５及びスピーカＳへの出力制御を行う。音声再生部Ｍ２は、制御部２から受けた音声データのスピーカＳへの出力制御を行う。
【００２１】
ＰＣ１３ａ、１３ｂは、例えばパーソナルコンピュータにＯＳ（オペレーティングシステム）、通信アプリケーション等が組み込まれてなるものであり、外部装置１６と画データ、音声データ、動画データ等のメディアデータの送受信をすることができる。ＰＢＸ１４は、ＩＰ電話用ＰＢＸであり、ＩＰ網１５から通信装置１を中継して着信したＩＰ電話を電話機１４ａ乃至１４ｃに振り分ける。
【００２２】
前記記憶部３に記憶されたテーブルは、メディア種別情報毎に、外部装置１６とＬＡＮ１１内の装置との間で送受信されるメディアデータの保存の要否を指定する保存要否情報と、保存する場合に使用するファイル形式を指定するファイル形式情報を対応付けて記憶している。テーブルの内容は、操作部４における所定操作によって、追加、削除、変更等の編集をすることができ、これによりメディア種別毎にメディアデータの保存要否情報及びファイル形式情報が対応付けて設定される。なお、本実施形態では、メディアデータの保存要否情報は、メディア種別毎に設定されるようになっているが、全てのメディア種別に対して同一の保存要否情報を一括して設定できるようにしてもよい。
【００２３】
図２に具体的に示したテーブルＴは、「メディア種別」フィールド、「保存」フィールド及び「ファイル形式」フィールドを具備する。各フィールドの同一レコードに格納された情報は、相互に対応付けて設定される。「メディア種別」フィールドには、音声データ、動画データ又は画データ（静止画データ）の３種類のメディア種別情報が設定可能となっている。「保存」フィールドには、保存要否情報が格納されており、メディアデータの保存要を指定する情報「保存する」と、メディアデータの保存不要を指定する情報「保存しない」が設定可能となっている。「ファイル形式」フィールドには、通信装置１がメディアデータを保存する際に、適用するファイル形式を指定するファイル形式情報が格納されている。該ファイル形式情報としては、例えばＷＡＶ、ＭＰＥＧ等が設定可能となっている。なお、図示するテーブルの内容は例示であり、メディアデータの種別情報、ファイル形式情報は、図示する以外のものを設定可能としてもよい。
【００２４】
以上説明した構成を備える通信装置１は、ＵＤＰ／ＩＰ、ＴＣＰ／ＩＰ、ＳＩＰ、ＳＤＰ（Session  Description  Protocol）、ＲＴＰ（Real-Time  Transport  Protocol）などを実装している。通信装置１は、ＬＡＮ１１内の装置と外部装置１６の通信を中継する際に、メディアデータの送受信開始前にやり取りされる情報に基づいて、メディアセッションで送受信されるメディアデータのメディア種別情報を検出する。そして、テーブルＴを参照して、検出したメディア種別情報に対応付けられた保存要否情報が保存要に設定されている場合に、中継するメディアデータを抽出して保存する。一方、保存要否情報が保存不要に設定されている場合には、中継するメディアデータの保存は行わない。以下、かかる通信装置１の処理動作について更に詳細に説明する。
【００２５】
通信装置１は、ＬＡＮ１１内の装置と外部装置１６が送受信するメディアデータのメディア種別情報を検出するために、メディアセッションを開始前に双方装置間で送受信されるＳＩＰのシグナリングメッセージを検出する。ＳＩＰのシグナリングメッセージには、セッション参加リクエスト「ＩＮＶＩＴＥ」、レスポンスコード「２００  ＯＫ」、「ＩＮＶＩＴＥ」に対する最終レスポンス「ＡＣＫ」などがあるが、通信装置１は、これらのシグナリングメッセージのやり取りを検出すると、何れかのＳＩＰヘッダの後のメッセージボディ部にＳＤＰによって記述された情報に基づいて、メディアセッションで送受信されるメディアデータのメディア種別を検出する。
【００２６】
例えば、図３に示すように、制御部２は、レスポンスコード「２００  ＯＫ」のＳＩＰヘッダ２１の後にＳＤＰによって記述されたメディアセッションに関する着呼側の応答情報２２（２２ａ、２２ｂ）を解析し、着呼側が発呼側の提案に対して受諾したメディア種別情報を双方装置間で送受信されるメディアデータのメディア種別情報として検出する。すなわち、応答情報２２ａのように、「ｍ」行に音声データを指定する情報「ａｕｄｉｏ」が記述されている場合は、メディアデータのメディア種別情報として音声データを指定する情報を検出する。一方、応答情報２２ｂのように、「ｍ」行に静止画データを指定する情報「ＦＡＸ」が記述されている場合は、メディアデータのメディア種別情報として静止画データを指定する情報を検出する。その他、図示しないが、「ｍ」行に動画データを指定する情報「ｖｉｄｅｏ」などが記述されている場合には、メディアデータのメディア種別情報として動画データを指定する情報を検出する。
【００２７】
なお、本実施の形態においては、レスポンスコード「２００  ＯＫ」に係るＳＩＰヘッダ２１の後に記述された情報２２が解析されることによりメディア種別の検出がなされるが、これは、双方装置間で最終的に決定されたメディア種別情報が「２００  ＯＫ」に係るＳＩＰヘッダ２１の後に記述された情報２２に含まれていることを前提とする場合である。したがって、双方装置間で最終的に決定されたメディア種別情報が、双方装置間の通信に関する取り決め等によって、その他のＳＩＰヘッダ２１の後に記述される情報に含まれるようになっている場合には、当該その他のＳＩＰヘッダ２１の後に記述されている情報を解析してメディア種別情報を検出するようにする。
【００２８】
つぎに、ＬＡＮ１１内の装置が外部装置１６とＳＩＰを利用してメディアデータを送受信する際に実行する通信装置１の処理動作について図４に示すフローチャートに基づいて説明する。
【００２９】
通信装置１の制御部２は、ＬＡＮ１１内の装置と外部装置１６との間で送受信される発呼又は着呼を示すセッション参加リクエスト「ＩＮＶＩＴＥ」等を検出し（Ｓ１）、レスポンスコード「２００  ＯＫ」を受信すると（Ｓ２：ＹＥＳ）、受信したレスポンスコード「２００  ＯＫ」のＳＩＰヘッダ２１の後に記述されたメディアセッションに関する着呼側の応答情報２２（２２ａ、２２ｂ）を解析して双方装置間で送受信されるメディアデータのメディア種別情報を検出する（Ｓ３）。
【００３０】
次いで、制御部２はテーブルＴを参照して、検出したメディア種別情報に対応付けられた保存要否情報が保存要に設定されているか否かを判断する（Ｓ４）。保存要否情報が保存不要に設定されている場合は（Ｓ４：ＮＯ）、引き続きＩＰ通信の中継処理のみを行いメディアデータの抽出及び保存処理は行わない。一方、保存要否情報が保存要に設定されている場合は（Ｓ４：ＹＥＳ）、発呼側装置及び被呼側装置を特定する情報、例えば発呼側装置及び被呼側装置のＩＰアドレスを中継する通信データから検出する（Ｓ５）。そして、メディアセッションで送受信されるメディアデータを当該通信が終了するまで抽出し、記憶部３に一時的に記憶する（Ｓ６、Ｓ７）。
【００３１】
制御部２はテーブルＴを参照して、抽出した後、記憶部３に記憶しているメディアデータに対して、当該メディアデータのメディア種別情報に対応付けられたファイル形式に従ってコーデック７で変換処理を行う。そして、変換したメディアデータを前記Ｓ５で検出した発呼側及び被呼側を特定する情報並びに各種情報と対応付けて補助記憶部１０に保存する（Ｓ８）。ここで、各種情報は、当該メディアデータの通信日時情報、メディア種別情報、ファイル形式情報などである。
【００３２】
通信装置１は、上記保存したメディアデータを、再生、出力（転送）等する機能を有する。通信装置１の操作部４において所定操作が行われると、例えば図５に示すように、補助記憶部１０に保存されたメディアデータに対応付けられた情報（前記した発呼側及び被呼側を特定する情報、各種情報）が表形式で表示部５に表示される。
【００３３】
操作部４の所定操作により、表示されたメディアデータの中から何れかが選択され、選択されたメディアデータを再生すべき操作、例えば表示部５に表示された「再生」ボタンの選択がなされると、選択されたメディアデータが再生される。すなわち、選択されたメディアデータが音声データである場合は、当該音声データに対して、コーデック７、音声再生部Ｍ２等によってデータ変換処理等がなされ、スピーカＳから音声データが再生される。選択されたメディアデータが静止画データである場合は、記録部６において当該静止画データが記録紙に記録される。選択されたメディアデータが動画データである場合は、当該動画データに対して、コーデック７、動画再生部Ｍ１等によってデータ変換処理等がなされ、表示部５で動画が再生され、音声がある場合にはスピーカＳから当該動画データに含まれる音声データが併せて再生される。
【００３４】
操作部４の所定操作により、表示されたメディアデータの中から何れかが選択され、選択されたメディアデータを転送すべき操作、例えば表示部５に表示された「転送」ボタンの選択がなされると、例えば図５下に示すような、転送先を指定するための画面情報を表示部５に表示し、ユーザが指定した宛先に対して選択されたメディアデータのファイルが転送される。ここで、転送手段は、特に限定されないが、例えば、通信装置１に電子メール通信機能などを持たせることにより、電子メールにメディアデータのファイルを添付して転送することができる。
【００３５】
以上説明した実施の形態においては、呼制御プロトコルとしてＳＩＰを例に挙げて説明したが、メディアデータの種別情報をメディアデータの送受信開始前に予め検出できれば、その他の呼制御プロトコルを適用してもよい。また、メディアデータの種別情報がＳＤＰにより記述された場合を例に挙げて説明したが、メディアデータの種別情報を検出できれば、記述方式は、ＳＤＰに限定されない。更にまた、メディアデータとして、音声データ、動画データ、静止画データを例にあげて説明したが、勿論これら以外のメディアデータを適用してもよい。
【００３６】
以上の説明から明らかなように、本発明の実施の形態に係る通信装置１によれば、通信装置１が属するＬＡＮ１１内の装置とＬＡＮ１１外の装置１６との間でＩＰ通信により送受信されるメディアデータを保存することができ、これにより、当該メディアデータの監視ないし管理を行うことが可能となる。また、メディアデータのメディア種別毎に保存するか否かを設定することができるので、管理者の意図に則した運用が可能である。例えば、通話を監視したい場合は、音声データについてのみ保存要否情報を保存要に設定することにより、ＬＡＮ１１の内外でやり取りされる音声データのみを保存することができる。また、保存したメディアデータのファイルは、通信装置１において再生することができるので、管理者は迅速にメディアデータの内容を確認することができる。また、保存したメディアデータのファイルは、他の装置へ転送等により出力することができるので、保存したメディアデータを利用する際の利便性が向上する。
【産業上の利用可能性】
【００３７】
本発明は、例えば、ＬＡＮ内の装置とＬＡＮ外の装置の間で行われるＩＰ通信を中継する通信装置に適用することができる。
【図面の簡単な説明】
【００３８】
【図１】本発明の実施の形態に係る通信装置の構成例及び該通信装置が設置されるネットワーク構成例を示した図である。
【図２】メディアデータの種別情報、保存要否情報及びファイル形式情報を対応付けて記憶するテーブルの一例を示した図である。
【図３】ＳＩＰヘッダの後にＳＤＰにより記述された情報の例を示した図である。
【図４】本発明の実施の形態に係る通信装置がＬＡＮ内の装置とＬＡＮ外の装置の間でＳＩＰを利用して行われるＩＰ通信を中継する際に実行する処理動作を示したフローチャートである。
【図５】保存しているメディアデータのファイルから再生又は転送するファイルを選択するために表示される画面表示及びファイルの転送先を入力するための画面表示の例を示した図である。
【符号の説明】
【００３９】
Ｔ    テーブル
Ｓ    スピーカ
Ｍ１    動画再生部
Ｍ２    音声再生部
１    通信装置
２    制御部
３    記憶部
５    表示部
６    記録部
７    コーデック
１０    補助記憶部
１１    ＬＡＮ
１３ａ、１３ｂ    ＰＣ（通信装置が属するネットワーク内の装置）
１４    ＰＢＸ（通信装置が属するネットワーク内の装置）
１６    外部装置（通信装置が属するネットワーク外の装置）
２２ａ、２２ｂ    ＳＤＰにより記述されたメディアセッションに関する応答情報
【図１】
2006054651.tif 000003
【図２】
2006054651.tif 000004
【図３】
2006054651.tif 000005
【図４】
2006054651.tif 000006
【図５】
2006054651.tif 000007